(57)【要約】【課題】料理に含有されるアレルゲン物質を確実に検出することができるようにする。【解決手段】中空体から成るカトラリー本体と、該カトラリー本体内に配設され、本体部４３及び採取管４４を備えるアレルゲン検出部とを有する。本体部４３は、アレルギー感知物質を収容するアレルギー感知物質収容部、アレルゲン物質を検出する検知部、及びアレルゲン物質が検出されたときに、検出信号を通知部に出力する信号出力部を備える。採取管４４は、先端に、料理に含有される成分を採取するための採取部４５を備え、成分を吸引し、前記本体部４３内に供給するための成分搬送媒体が充填された管状体によって形成される。アレルギー感知物質収容部をカトラリーの先端に配設する必要がない。【選択図】図１
2013208390.tif 000002
【特許請求の範囲】
【請求項１】
筒状の中空体から成るカトラリー本体と、
該カトラリー本体内に配設され、本体部及び該本体部から下方に向けて延在させて形成された採取管を備えるアレルゲン検出部とを有するとともに、
前記本体部は、アレルギー感知物質を収容するアレルギー感知物質収容部、アレルゲン物質とアレルギー感知物質とが反応するのに伴ってアレルゲン物質を検出する検知部、及び前記アレルゲン物質が検出されたときに、検出信号を、アレルゲン物質が検出されたことを操作者に通知するための通知部に出力する信号出力部を備え、
前記採取管は、先端に、料理に含有される成分を採取するための採取部を備え、前記成分を吸引し、前記本体部内に供給するための成分搬送媒体が充填された管状体によって形成されることを特徴とするカトラリー。
【請求項２】
前記アレルゲン検出部は、前記カトラリー本体内において進退自在に配設され、前進位置及び後退位置に置かれ、前進位置において、採取部によって料理に含有される成分を採取する請求項１に記載のカトラリー。
【請求項３】
前記カトラリー本体は、互いに相対的に回転自在に配設された第１、第２の筐体部を備え、
前記アレルゲン検出部は、前記第１の筐体部に対して前記第２の筐体部を回転させることによって上下方向に移動させられる請求項２に記載のカトラリー。
【請求項４】
カトラリー本体内に、前記アレルゲン検出部を上方に向けて付勢する付勢部材が配設される請求項１〜３のいずれか１項に記載のカトラリー。
【請求項５】
前記通知部はカトラリー本体に配設される請求項１〜４のいずれか１項に記載のカトラリー。
【発明の詳細な説明】
【技術分野】
【０００１】
本発明は、カトラリーに関するものである。
【背景技術】
【０００２】
従来、料理に含有される塩分及び糖分の量、すなわち、塩分値及び糖分値を計測することができるようにした箸が提供されている。
【０００３】
図２は従来の箸の斜視図である。
【０００４】
図において、１０は箸、１１は該箸１０を構成する一方の箸棒、１２は他方の箸棒である。前記箸棒１１は、先端に塩分センサ１３を、後端に塩分計測手段１４及び塩分表示ディスプレイ１６を備え、箸棒１２は、先端に糖分センサ１７を、後端に糖分計測手段１８及び糖分表示ディスプレイ２０を備える。
【０００５】
食事をするに当たり、箸１０の操作者が箸棒１１、１２の先端を料理に付けると、塩分センサ１３によって塩分が検出され、塩分信号が塩分計測手段１４に送られるとともに、糖分センサ１７によって糖分が検出され、糖分信号が糖分計測手段１８に送られる。そして、塩分計測手段１４によって計測された塩分値が塩分表示ディスプレイ１６に、糖分計測手段１８によって計測された糖分値が糖分表示ディスプレイ２０にそれぞれ表示される（例えば、特許文献１参照。）。
【先行技術文献】
【特許文献】
【０００６】
【特許文献１】特開２００５−１４３５５３号公報
【発明の概要】
【発明が解決しようとする課題】
【０００７】
しかしながら、前記従来の箸１０においては、料理に含有されるアレルゲン物質を検出することができない。
【０００８】
そこで、前記塩分センサ１３及び糖分センサ１７に代えてアレルゲンセンサを配設し、該アレルゲンセンサによって、料理に含有されるアレルゲン物質を検出することが考えられる。
【０００９】
この場合、前記アレルゲンセンサは、アレルゲン物質とアレルギー感知物質とが反応したときに生成される物質を検知することによってアレルゲン物質を検出するようになっていて、例えば、アレルゲン物質と反応したときに過酸化水素が生成されるアレルギー感知物質を使用する場合、過酸化水素とルミノールとを反応させてルミノールを発光させたときの発光量を検出することによって、アレルゲン物質を検出する。
【００１０】
したがって、アレルゲンセンサに、所定の容積を有し、アレルギー感知物質を収容するためのアレルギー感知物質収容部を配設する必要があるので、アレルゲンセンサの寸法が大きくなり、箸１０が大型化してしまう。
【００１１】
さらに、箸棒１１、１２の先端にアレルギー感知物質収容部が配設されることになるので、食事をするに当たり、箸棒１１、１２の先端を料理に付けると、アレルギー感知物質収容部に料理が付着してしまい、ルミノールの発光強度を精度良く検出することができなくなる。その結果、アレルゲン物質を検出することができなくなることがある。
【００１２】
本発明は、前記従来の箸１０の問題点を解決して、大型化するのを防止することができ、料理に含有されるアレルゲン物質を確実に検出することができるカトラリーを提供することを目的とする。
【課題を解決するための手段】
【００１３】
そのために、本発明のカトラリーにおいては、筒状の中空体から成るカトラリー本体と、該カトラリー本体内に配設され、本体部及び該本体部から下方に向けて延在させて形成された採取管を備えるアレルゲン検出部とを有する。
【００１４】
そして、前記本体部は、アレルギー感知物質を収容するアレルギー感知物質収容部、アレルゲン物質とアレルギー感知物質とが反応するのに伴ってアレルゲン物質を検出する検知部、及び前記アレルゲン物質が検出されたときに、検出信号を、アレルゲン物質が検出されたことを操作者に通知するための通知部に出力する信号出力部を備える。
【００１５】
また、前記採取管は、先端に、料理に含有される成分を採取するための採取部を備え、前記成分を吸引し、前記本体部内に供給するための成分搬送媒体が充填された管状体によって形成される。
【発明の効果】
【００１６】
本発明によれば、カトラリーにおいては、筒状の中空体から成るカトラリー本体と、該カトラリー本体内に配設され、本体部及び該本体部から下方に向けて延在させて形成された採取管を備えるアレルゲン検出部とを有する。
【００１７】
そして、前記本体部は、アレルギー感知物質を収容するアレルギー感知物質収容部、アレルゲン物質とアレルギー感知物質とが反応するのに伴ってアレルゲン物質を検出する検知部、及び前記アレルゲン物質が検出されたときに、検出信号を、アレルゲン物質が検出されたことを操作者に通知するための通知部に出力する信号出力部を備える。
【００１８】
また、前記採取管は、先端に、料理に含有される成分を採取するための採取部を備え、前記成分を吸引し、前記本体部内に供給するための成分搬送媒体が充填された管状体によって形成される。
【００１９】
この場合、カトラリー本体内にアレルゲン検出部が配設され、アレルゲン検出部は本体部及び該本体部から下方に向けて延在させて形成された採取管を備え、該採取管の先端に料理の成分を採取するための採取部が配設されるので、カトラリーの先端にアレルギー感知物質を収容するためのアレルギー感知物質収容部を配設する必要がない。したがって、カトラリーが大型化するのを防止することができる。
【００２０】
また、カトラリーの先端に料理が付いても、アレルギー感知物質収容部に料理が付着しないので、アレルゲン物質を確実に検出することができる。
【図面の簡単な説明】
【００２１】
【図１】本発明の第１の実施の形態における箸棒を正面から見たときの透視図である。
【図２】従来の箸の斜視図である。
【図３】本発明の第１の実施の形態における箸棒の正面図である。
【図４】本発明の第１の実施の形態における箸棒を側面から見たときの透視図である。
【図５】本発明の第１の実施の形態におけるアレルゲンセンサの要部を示す正面図である。
【図６】本発明の第１の実施の形態におけるアレルゲンセンサの要部を示す断面図である。
【図７】本発明の第２の実施の形態における箸棒の正面図である。
【図８】本発明の第２の実施の形態におけるパレットの概念図である。
【図９】本発明の第２の実施の形態におけるパレットの平面図である。
【図１０】本発明の第２の実施の形態における摂取カロリー監視システムを示す制御ブロック図である。
【図１１】本発明の第２の実施の形態における摂取カロリー監視システムの動作を示すフローチャートである。
【発明を実施するための形態】
【００２２】
以下、本発明の実施の形態について図面を参照しながら詳細に説明する。この場合、カトラリーとしての箸について説明する。
【００２３】
図１は本発明の第１の実施の形態における箸棒を正面から見たときの透視図、図３は本発明の第１の実施の形態における箸棒の正面図、図４は本発明の第１の実施の形態における箸棒を側面から見たときの透視図、図５は本発明の第１の実施の形態におけるアレルゲンセンサの要部を示す正面図、図６は本発明の第１の実施の形態におけるアレルゲンセンサの要部を示す断面図である。
【００２４】
図において、３１は対になって箸を構成するカトラリー構成体としての箸棒、３４は、筒状の中空体から成り、内部に閉鎖空間３３が形成されたカトラリー本体としての箸棒本体であり、該箸棒本体３４は、互いに相対的に回転自在に配設された第１の筐体部としての下筐体３４ａ、及び第２の筐体部としての上筐体３４ｂを備える。前記下筐体３４ａの下端、すなわち、箸棒３１の先端に開口３２が形成され、上筐体３４ｂの上端、すなわち、箸棒３１の後端の近傍にＬＥＤ画面等から成る通知部としての表示部３６が配設される。
【００２５】
また、前記箸棒本体３４内に、複数の、本実施の形態においては、３個のアレルゲン検出部としてのアレルゲンセンサＳｐｉ（ｉ＝１、２、３）が、箸棒３１の長手方向におけるほぼ中央部に配設され、各アレルゲンセンサＳｐｉの上端と表示部３６とが信号線ＳＧｉ（ｉ＝１、２、３）によって連結される。該各信号線ＳＧｉは、各アレルゲンセンサＳｐｉを上方、すなわち、箸棒３１の後端側に向けて付勢する付勢部材として機能する。
【００２６】
なお、前記各アレルゲンセンサＳｐｉを各信号線ＳＧｉから取り外すことによって、各アレルゲンセンサＳｐｉを箸棒本体３４に対して着脱することができる。また、付勢部材として、信号線ＳＧｉとは別にスプリングを配設することができる。
【００２７】
前記各アレルゲンセンサＳｐｉは、本体部４３及び該本体部４３から下方に向けて延在させて形成された採取管４４を備え、該採取管４４は、先端（下端）に、料理に含有される成分を採取するための採取部４５を備える。また、各アレルゲンセンサＳｐｉは、箸棒本体３４内において進退自在に配設され、第１の位置としての前進位置において、採取部４５が開口３２からわずかに突出させられ、第２の位置としての後退位置において、採取部４５が開口３２から所定の距離だけ上方に離間させられる。
【００２８】
そのために、前記各本体部４３は円柱状の筐体部５１を備え、該筐体部５１の外周面に、第１の係止部としての螺旋状の溝ｍｉ（ｉ＝１、２、３）が形成され、上筐体３４ｂの  内周壁に、各溝ｍｉと係脱自在に第２の係止部としての突起３５が形成され、各溝ｍｉと係合させられる。
【００２９】
なお、前記各溝ｍｉは、前記下筐体３４ａを固定した状態で上筐体３４ｂを図１における矢印Ａ方向に回転させたときに、回転方向における下流側ほど箸棒３１の後端に近くなるように傾斜させて形成される。
【００３０】
したがって、下筐体３４ａを固定して上筐体３４ｂを矢印Ａ方向に回転させると、突起３５が、各アレルゲンセンサＳｐｉの周囲を矢印Ａ方向に移動させられ、各溝ｍｉと順次係合させられる。
【００３１】
例えば、アレルゲンセンサＳｐ１の溝ｍ１と突起３５とが係合させられている間は、上筐体３４ｂが回転させられるのに伴って前記突起３５が溝ｍ１に沿って移動させられ、前記アレルゲンセンサＳｐ１は信号線ＳＧ１の付勢力に抗して下方に移動させられ、前記アレルゲンセンサＳｐ１が前進位置に到達したときに上筐体３４ｂの回転を停止させると、アレルゲンセンサＳｐ１は前進位置に保持される。
【００３２】
続いて、上筐体３４ｂを矢印Ａ方向に更に回転させると、突起３５と溝ｍ１との係合が解除され、前記アレルゲンセンサＳｐ１は信号線ＳＧ１の付勢力によって上方に移動させられ、前記各アレルゲンセンサＳｐ１が後退位置に到達したときに上筐体３４ｂの回転を停止させると、アレルゲンセンサＳｐ１は後進位置に保持される。
【００３３】
このように、上筐体３４ｂを回転させることによって、順次、各アレルゲンセンサＳｐｉを前進位置及び後退位置に置くことができる。
【００３４】
また、前記採取管４４は、前記筐体部５１内と連通させられた中空の管状体によって形成され、管状体の先端の開口によって前記採取部４５が形成される。前記採取管４４内には、採取部４５によって採取した成分を、表面張力、毛細管現象等の作用によって吸引し、筐体部５１内に供給するために、成分搬送媒体としての多孔体、例えば、セラミックス、炭素材、プラスチック類、綿等が充填される。
【００３５】
したがって、箸の操作者であるカトラリー操作者が箸の先端を料理に付けると、採取部４５によって料理に含有される成分が採取され、採取管４４を介して筐体部５１内に供給される。
【００３６】
そして、前記筐体部５１内には、採取管４４側から、アレルギー感知物質収容部５２、検知部５３及び信号出力部５４が配設される。
【００３７】
なお、料理の材料のうち、卵にはオボアルブミン、オボムコイド等のアレルゲン物質が、乳製品にはカゼイン、β−ラクトグロブリン等のアレルゲン物質が、小麦にはグリアジン等のアレルゲン物質が含有され、前記アレルギー感知物質収容部５２には、各アレルゲン物質と対応させて選択され、各アレルゲン物質と反応する所定のアレルギー感知物質が収容される。
【００３８】
ところで、本実施の形態においては、前記アレルギー感知物質として、アレルゲン物質と反応したときに所定の物質、本実施の形態においては、過酸化水素が生成される物質が使用される。そして、生成された過酸化水素とルミノールとが反応してルミノールが発光したときの発光量を検出することによってアレルゲン物質を検出するとともに、アレルゲン物質の濃度を検出するようにしている。
【００３９】
そのために、前記アレルギー感知物質収容部５２には、前記アレルギー感知物質が、多孔体、例えば、セラミックス、炭素材、プラスチック類、綿等に含浸させて収容され、アレルギー感知物質収容部５２において、料理に含有されるアレルゲン物質とアレルギー感知物質とが反応して過酸化水素が生成されると、生成された過酸化水素が前記検知部５３に送られる。
【００４０】
また、該検知部５３には、ルミノール溶液が、多孔体、例えば、セラミックス、炭素材、プラスチック類、綿等に含浸させて収容され、検知部５３において、アレルギー感知物質収容部５２から供給された過酸化水素とルミノールとが反応してルミノールが発光したときの光が信号出力部５４に送られる。
【００４１】
そして、該信号出力部５４は、検知部５３から送られた光の光量を、アレルゲン物質が検出されたことを表す検出信号に変換し、該検出信号を信号線ＳＧｉを介して表示部３６に送り、該表示部３６は、アレルゲン物質が検出されたこと、及び検出されたアレルゲン物質の濃度を表示し、カトラリー操作者に通知する。
【００４２】
本実施の形態においては、各アレルゲンセンサＳｐｉのアレルギー感知物質収容部５２に、カトラリー操作者が持つアレルギー、すなわち、抗体に対応するアレルギー感知物質を任意で収容することができる。したがって、アレルゲンセンサを、カトラリー操作者の抗体に対応させて交換することができるので、カトラリー操作者ごとのアレルゲン物質を確実に検出することができる。
【００４３】
このように、本実施の形態においては、箸棒本体３４内にアレルゲンセンサＳｐｉが配設され、採取管４４の採取部４５によって料理に含有される成分が採取されるので、箸棒３１の先端にアレルギー感知物質収容部５２を配設する必要がない。したがって、箸が大型化するのを防止することができる。
【００４４】
また、箸棒３１の先端にアレルギー感知物質収容部５２が配設されないので、箸棒３１の先端に料理が付いても、アレルギー感知物質収容部５２に料理が付着することがない。したがって、ルミノールの発光量を精度良く検出することができ、アレルゲン物質を確実に検出することができる。
【００４５】
次に、カトラリー操作者が食事をした際に摂取したカロリーを算出し、箸棒３１の表示部３６に表示するようにした本発明の第２の実施の形態について説明する。なお、第１の実施の形態と同じ構造を有するものについては、同じ符号を付与し、同じ構造を有することによる発明の効果については同実施の形態の効果を援用する。
【００４６】
図７は本発明の第２の実施の形態における箸棒の正面図、図８は本発明の第２の実施の形態におけるパレットの概念図、図９は本発明の第２の実施の形態におけるパレットの平面図、図１０は本発明の第２の実施の形態における摂取カロリー監視システムを示す制御ブロック図、図１１は本発明の第２の実施の形態における摂取カロリー監視システムの動作を示すフローチャートである。
【００４７】
図において、６０はカトラリーシステムとしての摂取カロリー監視システム、３１はカトラリー構造体としての箸棒、７１は料理載置部としてのパレット（皿等の食器）、８１は監視装置である。
【００４８】
この場合、一方の箸棒３１の所定の箇所、本実施の形態においては、上端に、第１の撮像装置としてのカメラ６１、制御部６２及び通信部６３が配設される。
【００４９】
また、パレット７１の下面の中央には、パレット７１に載置された料理Ｃｊ（ｊ＝１、２、…）の各重量の和、すなわち、料理重量Ｗ〔ｇ〕を検出する重量検出部としての重量センサ７２が配設され、該重量センサ７２に隣接させて制御部７３が配設される。そして、パレット７１の上面の所定の箇所、本実施の形態においては、パレット７１の縁部に、第２の撮像装置としてのカメラ７４及び通信部７５が配設される。
【００５０】
そして、前記監視装置８１は、主制御部８２、記憶装置８３及び通信部８４を備える。前記記憶装置８３には図示されない画像テーブル及びカロリー情報テーブルが配設され、前記画像テーブルに各種の料理の画像が、前記カロリー情報テーブルに各種の料理における単位重量当たりのカロリーｅｊ（ｊ＝１、２、…）〔ｋｃａｌ／ｇ〕が記録される。また、記憶装置８３には、カトラリー操作者ごとに許容される摂取カロリー、すなわち、許容摂取カロリーＥｇ〔ｋｃａｌ〕等が記録される。
【００５１】
次に、摂取カロリー監視システム６０の動作について説明する。
【００５２】
まず、箸棒３１において、制御部６２の図示されない撮像処理手段は、撮像処理を行い、カメラ６１によってパレット７１上の料理Ｃｊを撮影し、画像データを読み込む（ステップＳ１）。続いて、制御部６２の図示されない送信処理手段は、送信処理を行い、通信部６３を介して画像データを監視装置８１に送信する。
【００５３】
該監視装置８１において、通信部８４を介して箸棒３１からの画像データを受信すると、主制御部８２の図示されない画像処理手段は、画像処理を行い、前記画像データに基づいてカメラ６１によって撮影されたパレット７１上の各料理Ｃｊの画像を分析し、記憶装置８３の画像テーブルを参照して、パレット７１上の料理Ｃｊの種類を判断する（ステップＳ２）。
【００５４】
続いて、主制御部８２の図示されないカロリー取得処理手段は、カロリー取得処理を行い、記憶装置８３のカロリー情報テーブルを参照し、パレット７１上の各料理Ｃｊの単位重量当たりのカロリーｅｊ〔ｋｃａｌ／ｇ〕を読み出すことによって取得する（ステップＳ３）。
【００５５】
次に、カトラリー操作者が、パレット７１において、箸の先端を料理Ｃｊのうちの所定の料理に付けると、制御部７３の図示されない撮像処理手段は、撮像処理を行い、カメラ７４によって箸を撮影する（ステップＳ４）。そして、前記制御部７３の図示されない箸位置判断処理手段は、箸位置判断処理を行い、カメラ７４によって撮影された箸の画像に基づいてパレット７１上における箸の位置を判断し、箸の位置を箸位置情報として通信部７５を介して監視装置８１に送信する（ステップＳ５）。
【００５６】
また、パレット７１において、制御部７３の図示されない料理採取量算出処理手段は、料理採取量算出処理を行い、重量センサ７２によって検出された料理重量Ｗ〔ｇ〕を読み込み、カトラリー操作者が料理Ｃｊのうちの所定の料理を採取する前の料理重量Ｗ〔ｇ〕と、該所定の料理を採取した後の料理重量Ｗ〔ｇ〕との差を料理採取量δＷ〔ｇ〕として算出し、該料理採取量δＷ〔ｇ〕を通信部７５を介して監視装置８１に送信する（ステップＳ６）。
【００５７】
監視装置８１において、通信部８４を介して前記箸位置情報及び料理採取量δＷ〔ｇ〕を受信すると、主制御部８２の図示されない摂取カロリー算出処理手段は、摂取カロリー算出処理を行い、前記箸位置情報に基づいてカトラリー操作者が採取した料理を判断し、該料理の単位重量当たりのカロリーｅｊ〔ｋｃａｌ／ｇ〕及び料理採取量δＷ〔ｇ〕に基づいて摂取カロリーＥ〔ｋｃａｌ〕
Ｅ＝ｅｊ・δＷ〔ｋｃａｌ〕
を算出する（ステップＳ７）。
【００５８】
次に、前記主制御部８２の図示されない総摂取カロリー算出処理手段は、総摂取カロリー算出処理を行い、摂取カロリーＥ〔ｋｃａｌ〕を積算して総摂取カロリーΣＥ〔ｋｃａｌ〕を算出する（ステップＳ８）。
【００５９】
続いて、前記主制御部８２の図示されない総摂取カロリー判断処理手段は、総摂取カロリー判断処理を行い、記憶装置８３からカトラリー操作者の許容摂取カロリーＥｇ〔ｋｃａｌ〕を読み出し、総摂取カロリーΣＥ〔ｋｃａｌ〕が許容摂取カロリーＥｇ〔ｋｃａｌ〕より大きいかどうかを判断し、総摂取カロリーΣＥ〔ｋｃａｌ〕が許容摂取カロリーＥｇ〔ｋｃａｌ〕より大きい場合、通信部８４を介して総摂取カロリーΣＥ〔ｋｃａｌ〕が許容摂取カロリーＥｇ〔ｋｃａｌ〕より大きいことを表す警告信号を箸棒３１に送信する（ステップＳ９）。
【００６０】
そして、箸棒３１において、通信部６３を介して警告信号を受信すると、制御部６２の図示されない警告処理手段は、警告処理を行い、通知部としての表示部３６に総摂取カロリーΣＥ〔ｋｃａｌ〕が許容摂取カロリーＥｇ〔ｋｃａｌ〕より大きいことを表示し、カトラリー操作者に通知される（ステップＳ１０）。
【００６１】
このように、本実施の形態においては、パレット７１上における箸の位置が判断され、カトラリー操作者による料理採取量δＷ〔ｇ〕が算出され、該料理採取量δＷ〔ｇ〕に基づいてカトラリー操作者の総摂取カロリーΣＥ〔ｋｃａｌ〕が算出され、該総摂取カロリーΣＥ〔ｋｃａｌ〕が許容摂取カロリーＥｇ〔ｋｃａｌ〕より大きい場合、表示部３６に総摂取カロリーΣＥ〔ｋｃａｌ〕が許容摂取カロリーＥｇ〔ｋｃａｌ〕より大きいことが表示され、カトラリー操作者に通知される。
【００６２】
したがって、カトラリー操作者の過食を抑制することができる。
【００６３】
前記第１の実施の形態においては、各アレルゲンセンサＳｐｉの上端と表示部３６とが信号線ＳＧｉによって連結され、アレルゲン物質が検出されたときに、信号出力部５４によって検出信号が表示部３６に送られるようになっているが、検出信号を箸棒３１に配設された制御部に送るようにすることができる。その場合、制御部の通知処理手段は、通知処理を行い、検出信号を表示部３６に送る。
【００６４】
また、前記各実施の形態においては、箸棒３１の後端の近傍に表示部３６が配設されるようになっているが、箸棒３１とは別の箇所に表示部を配設することができる。
【００６５】
そして、前記各実施の形態においては、カトラリーとしての箸について説明したが、本発明をスプーン等に適用することができる。
【００６６】
なお、本発明は前記各実施の形態に限定されるものではなく、本発明の趣旨に基づいて種々変形させることが可能であり、それらを本発明の範囲から排除するものではない。
【符号の説明】
【００６７】
３１    箸棒
３４    箸棒本体
３６    表示部
４３    本体部
４４    採取管
４５    採取部
５２    アレルギー感知物質収容部
５３    検知部
５４    信号出力部
Ｃｊ    料理
Ｓｐｉ    アレルゲンセンサ
【図１】
2013208390.tif 000003
【図２】
2013208390.tif 000004
【図３】
2013208390.tif 000005
【図４】
2013208390.tif 000006
【図５】
2013208390.tif 000007
【図６】
2013208390.tif 000008
【図７】
2013208390.tif 000009
【図８】
2013208390.tif 000010
【図９】
2013208390.tif 000011
【図１０】
2013208390.tif 000012
【図１１】
2013208390.tif 000013
【手続補正書】
【提出日】平成24年4月5日(2012.4.5)
【手続補正１】
【補正対象書類名】図面
【補正対象項目名】図１
【補正方法】変更
【補正の内容】
【図１】
2013208390.tif 000014
【手続補正２】
【補正対象書類名】図面
【補正対象項目名】図２
【補正方法】変更
【補正の内容】
【図２】
2013208390.tif 000015
【手続補正３】
【補正対象書類名】図面
【補正対象項目名】図３
【補正方法】変更
【補正の内容】
【図３】
2013208390.tif 000016
【手続補正４】
【補正対象書類名】図面
【補正対象項目名】図４
【補正方法】変更
【補正の内容】
【図４】
2013208390.tif 000017
【手続補正５】
【補正対象書類名】図面
【補正対象項目名】図５
【補正方法】変更
【補正の内容】
【図５】
2013208390.tif 000018
【手続補正６】
【補正対象書類名】図面
【補正対象項目名】図６
【補正方法】変更
【補正の内容】
【図６】
2013208390.tif 000019
【手続補正７】
【補正対象書類名】図面
【補正対象項目名】図７
【補正方法】変更
【補正の内容】
【図７】
2013208390.tif 000020